(57)【要約】【課題】容器本体に貯留し得る流体の量を大きくすることができる吸引容器を提供する。【解決手段】吸引容器Ａは、容器本体１と、容器本体１の内部に形成され互いに連通した複数の室２ａ〜２ｄと、容器本体１に配置され流体を吸引する吸引部材と接続される吸引口５と、互いに連通した複数の室２ａ〜２ｄの中から選択され吸引口５と接続された貯留室２ａと、容器本体１に配置され該容器本体の内部に負圧を作用させる負圧源と接続された排気口６と、互いに連通した複数の室２ａ〜２ｄの中から選択され排気口６と接続された排気室２ｄとを有する。【選択図】        図１
2017205249.tif 000002
【特許請求の範囲】
【請求項１】
容器本体と、
前記容器本体の内部に形成され互いに連通した複数の室と、
前記容器本体に配置され流体を吸引する吸引部材と接続される吸引口と、
前記互いに連通した複数の室の中から選択され前記吸引口と接続された吸引室と、
前記容器本体に配置され該容器本体の内部に負圧を作用させる負圧源と接続された排気口と、
前記互いに連通した複数の室の中から選択され前記排気口と接続された排気室と、
を有することを特徴とする吸引容器。
【請求項２】
前記吸引口と前記吸引室は吸引通路によって接続されており、該吸引通路は前記吸引口と前記吸引室との間に前記複数の室の内の少なくとも一つの室を挟んで形成されていることを特徴とする請求項１に記載した吸引容器。
【請求項３】
前記排気室と前記排気口は、一方の端部が該排気室と接続されると共に他方の端部が前記排気口に接続された排気通路を介して接続されていることを特徴とする請求項１又は２に記載した吸引容器。
【請求項４】
前記吸引口に、前記容器本体に吸引した流体が外部に漏洩することを防ぐための逆止弁が配置されていることを特徴とする請求項１乃至３の何れかに記載した吸引容器。
【請求項５】
前記排気口に、前記容器本体に吸引した流体が外部に漏洩することを防ぐためのフィルターが配置されていることを特徴とする請求項１乃至４の何れかに記載した吸引容器。
【請求項６】
前記容器本体に形成された複数の室は、前記吸引室と前記排気室との間に少なくとも一つの中間室が配置されており、これらの吸引室、中間室、排気室は互いに壁によって区画され、各壁の互いに異なる位置に形成された通路によって連通していることを特徴とする請求項１乃至５の何れかに記載した吸引容器。
【請求項７】
前記吸引口に接続される吸引部材が、患者の体液を吸引するカテーテルであることを特徴とする請求項１乃至６の何れかに記載した吸引容器。
【請求項８】
前記互いに連通した複数の室の中から選択された室には凝固剤が配置されていることを特徴とする請求項１乃至７の何れかに記載した吸引容器。
【請求項９】
前記容器本体が細長い筒状に形成されており、該容器本体の長手方向の一方の端部に吸引口が配置されると共に他方の端部に排気口が配置され、且つ該容器本体の内部には長手方向に互いに連通した複数の室が形成され、更に、該容器本体の内部には長手方向の側面に沿って前記吸引通路が形成されると共に排気通路が形成されていることを特徴とする請求項１乃至８の何れかに記載した吸引容器。
【発明の詳細な説明】
【技術分野】
【０００１】
本発明は、容器本体に貯留し得る流体の量を多くすることができる吸引容器に関するものである。
【背景技術】
【０００２】
医療機関では、手術室や病室には患者の体液を吸引するために、各種の吸引器が設置されている。例えば手術室に設けた吸引器は、手術の際に生じた血液を含む体液や患部を洗浄する際に用いた生理食塩水等を吸引して凝固処理し得るように構成されている。また、病室に設けた吸引器は、痰など患者の分泌物を吸引して凝固処理し得るように構成されている。
【０００３】
吸引器は、蓋体によって気密状態に保持され、吸引した体液や分泌物等を収容するボトルを有しているのが一般的である。そして、ボトルの内部に負圧を作用させると共に、蓋体に取り付けたペーシェントホースを患部に適用することで、体液や分泌物を吸引してボトルに収容し得るように構成されている。このような吸引器では、ボトルの内部に収容袋を設けておき、ペーシェントホースを介して吸引された体液や分泌物を収容袋に収容して凝固処理し、凝固した収容袋ごと廃棄処分し得るように構成されている。
【０００４】
また、特許文献１は医療・介護用吸引物の貯留器に関するものであり、介護施設や家庭で患者や被介護者から鼻汁や痰を吸引する際に、該患者や被介護者の姿勢に応じて、施術者が手で保持した貯留器の位置や角度等の使用状態を自由に変えることができるようにしたものである。この貯留器では、患者や被介護者に窮屈な姿勢を強いることなく、鼻汁や痰を吸引することができる。
【０００５】
特許文献１に記載された貯留器は、キャップによって水密に閉塞し内部に貯留室が形成された筒状の容器を有しており、該容器の底部側とキャップ側には夫々吸引ジョイントインナーが同軸上に配置されている。そして、両方の吸引ジョイントインナーの間に排気口が形成されており、底部側の吸引ジョイントインナーに負圧を作用させることで、キャップ側の吸引ジョイントインナーから鼻汁や痰等の吸引物を吸引し、排気口から排除して貯留室に貯留するように構成されている。
【先行技術文献】
【特許文献】
【０００６】
【特許文献１】特開２０１４−２１２９１８号公報
【発明の概要】
【発明が解決しようとする課題】
【０００７】
特許文献１に記載された貯留器は片手で保持して、水平でも傾斜させても使用することができるため、患者や被介護者に無理な姿勢を強いることなく鼻汁や痰を吸引することが可能となり、在宅医療に利用して有利である。しかし、吸引ジョイントインナーが容器の中心を縦貫しているため、容器の容積に対して貯留し得る量が少なく、無駄になる容積が大きくなる虞がある。
【０００８】
本発明の目的は、容器本体に貯留し得る流体の量を大きくすることができる吸引容器を提供することにある。
【課題を解決するための手段】
【０００９】
上記課題を解決するために本発明に係る吸引容器は、容器本体と、前記容器本体の内部に形成され互いに連通した複数の室と、前記容器本体に配置され流体を吸引する吸引部材と接続される吸引口と、前記互いに連通した複数の室の中から選択され前記吸引口と接続された吸引室と、前記容器本体に配置され該容器本体の内部に負圧を作用させる負圧源と接続された排気口と、前記互いに連通した複数の室の中から選択され前記排気口と接続された排気室と、を有するものである。
【００１０】
上記吸引容器に於いて、前記吸引口と前記吸引室は吸引通路によって接続されており、該吸引通路は前記吸引口と前記吸引室との間に前記複数の室の内の少なくとも一つの室を挟んで形成されていることが好ましい。
【００１１】
上記何れかの吸引容器に於いて、前記排気室と前記排気口は、一方の端部が該排気室と接続されると共に他方の端部が前記排気口に接続された排気通路を介して接続されていることが好ましい。
【００１２】
上記何れかの吸引容器に於いて、前記吸引口に、前記容器本体に吸引した流体が外部に漏洩することを防ぐための逆止弁が配置されていることが好ましい。
【００１３】
上記何れかの吸引容器に於いて、前記排気口に、前記容器本体に吸引した流体が外部に漏洩することを防ぐためのフィルターが配置されていることが好ましい。
【００１４】
上記何れかの吸引容器に於いて、前記容器本体に形成された複数の室は、前記吸引室と前記排気室との間に少なくとも一つの中間室が配置されており、これらの吸引室、中間室、排気室は互いに壁によって区画され、各壁の互いに異なる位置に形成された通路によって連通していることが好ましい。
【００１５】
上記何れかの吸引容器に於いて、前記吸引口に接続される吸引部材が、患者の体液を吸引するカテーテルであることが好ましい。
【００１６】
上記何れかの吸引容器に於いて、前記互いに連通した複数の室の中から選択された室には凝固剤が配置されていることが好ましい。
【００１７】
上記何れかの吸引容器に於いて、前記容器本体が細長い筒状に形成されており、該容器本体の長手方向の一方の端部に吸引口が配置されると共に他方の端部に排気口が配置され、且つ該容器本体の内部には長手方向に互いに連通した複数の室が形成され、更に、該容器本体の内部には長手方向の側面に沿って前記吸引通路が形成されると共に排気通路が形成されていることが好ましい。
【発明の効果】
【００１８】
本発明に係る吸引容器では、排気口を介して容器本体に形成された複数の室に負圧を作用させることで、吸引口に接続された吸引部材を介して流体を吸引することができる。そして、吸引した流体が吸引室に落下することで該吸引室に貯留することができる。
【００１９】
また、吸引通路が、吸引口と吸引室との間に少なくとも一つの室を挟んで形成されているため、該吸引室が直接排気室と接続されることがない。このため、吸引通路を流通した流体が直接排気室に流入することがなく、吸引された流体は、排気方向上流側に配置されている吸引室に貯留される。従って、吸引室の容積に対応した量の流体を貯留することができる。
【００２０】
また、排気室と排気口が排気通路を介して接続されるため、吸引室に貯留されていた流体が排気室まで流入しても、直ちに排気口に到達することがない。
【００２１】
また、吸引口に逆止弁を配置することによって、吸引して貯留した流体が容器本体から漏洩することがない。
【００２２】
また、排気口にフィルターを配置することによって、吸引して貯留した流体が容器本体から漏洩することがない。
【００２３】
また、複数の室は、吸引室と排気室との間に中間室を配置すると共に、各室を区画する壁に於ける異なる位置に通路を形成することによって、吸気室から排気室に至るジグザグ状の通路が構成される。このため、吸引された流体が吸引室から中間室に入り込んだ場合でも、この流体が排気室から直接排気通路に流入することがない。
【００２４】
また、吸引口に接続される吸引部材を患者の体液を吸引するカテーテルとすることで、患者からたんや体液を含む流体を吸引することができる。
【００２５】
また、複数の室の中から選択された室に凝固剤を配置することで、該凝固剤に触れた流体が凝固することとなり、清潔さを保持することができる。
【００２６】
また、容器本体を細長い筒状に形成し、該容器本体の長手方向の一方の端部に吸引口を配置すると共に他方の端部に排気口を配置し、且つ該容器本体の内部に長手方向に互いに連通した複数の室を形成し、更に、該容器本体の内部に長手方向の側面に沿って吸引通路及び排気通路を形成している。このため、容器本体を手のひらに入る程度の太さと長さとすることによって、小型で操作性の良好な吸引容器とすることができる。
【図面の簡単な説明】
【００２７】
【図１】第１実施例に係る吸引容器の構成を説明する図である。
【図２】第１実施例に係る吸引容器の一部を破断して説明する斜視図である。
【図３】第２実施例に係る吸引容器の構成を説明する図である。
【図４】第３実施例に係る吸引容器の構成を説明する図である・
【図５】第４実施例に係る吸引容器の構成を説明する図である。
【図６】更に他の例に係る吸引容器の構成を説明する図である。
【図７】吸引容器を操作する際の説明図である。
【発明を実施するための形態】
【００２８】
以下、本発明に係る吸引容器について説明する。本発明に係る吸引容器は、容器本体の内部を互いに連通した複数の室に仕切り、該複数の室の中から選択された吸引室と吸引口を接続し、排気室と排気口を接続して構成したものである。特に、吸引室と排気室を異なる室として構成することで、吸引された流体が直接排気室に到達することをなくし、これにより、吸引室の容積を大きくして多くの流体を貯留し得るように構成したものである。また、吸引口と吸引室を吸引通路を介して接続すると共に、排気室と排気口を排気通路を介して接続することで、形成された複数の室を有効に利用し得るように構成されている。
【００２９】
本発明に係る吸引容器では、吸引口を介して吸引された流体は、吸引室（以下「貯留室」という）に落下して貯留される。貯留室と排気通路とが排気室を介して接続されているため、該排気室が排気時に於ける空気溜りとなり、吸引された流体は吸引通路を通過して貯留室に落下した状態を保持するため、該貯留室に多くの流体を貯留することが可能となる。
【００３０】
吸引する流体は限定するものではなく、吸引容器に作用する負圧に伴う排気によって流動し得るものであれば吸引して貯留することが可能である。特に、患者や要介護者から痰などの粘性を有する流体（以下「吸引物」という）を吸引する際に好ましく利用することが可能であり、病院や医院で、或いは在宅で利用することが可能である。
【００３１】
容器本体の形状及び寸法は限定するものではない。特に、人の手で把持して操作し得るような形状と寸法を有することが好ましい。このように形成することで、容器本体を小型化すると共に良好な操作性を実現することが可能である。しかし、容器本体を人手による操作可能な形状にのみ限定するものではなく、テーブル上に設置し得るような形状と寸法、或いはベッドの手すりから吊り下げることが可能な形状と寸法であっても良い。
【００３２】
容器本体の内部に形成された互いに連通した複数の室は数を限定するものではなく、少なくとも二つの室が形成されていれば良い。そして、排気方向上流側に形成された室が貯留室となり、排気方向下流側に形成された排気室が排気通路を介して排気口と接続され、貯留室と排気室とは、両室を仕切る壁に設けた通路を介して相互に連通している。
【００３３】
このため、排気室を介して貯留室、吸引通路に負圧が作用したとき、吸引通路及び通路に於ける空気の速度は大きく、貯留室、排気室に於ける速度は小さくなる。従って、吸引通路から吸引された吸引物が貯留室に到達すると、自重で落下して貯留される。そして、貯留室に貯留した吸引物は排気室に流れ込むことなく貯留されるため、操作する者が貯留量を確認して処理することが可能となる。
【００３４】
貯留室と排気室は両室を仕切る壁に設けた通路を介して相互に連通している。特に、この通路の位置は、貯留室に吸引した吸引物を貯留させる使用状態に於ける上部であることが好ましい。通路の位置をこのように設定することで、貯留室には通路までの深さの大量の吸引物を貯留しておくことが可能である。
【００３５】
また、容器本体の内部に２以上の室を形成する場合、排気方向最も上流側の室を貯留室とし、最も下流側の室を排気室として排気通路を介して排気口に接続することが好ましい。この場合、吸引した吸引物が貯留室に満杯状態となり、中間に設けた室に溢れたとしても、溢れた吸引物が直ちに最も下流側の排気室に到達することがなく、確実に操作する者によって処理することが可能となる。
【００３６】
特に、容器本体の内部に２以上の室を形成する場合、各室を仕切る壁に設ける通路は互いに同じ軸に沿って対向することなく、異なる位置に形成することが好ましい。このような通路を形成することによって、容器本体内に於ける空気の流れをジグザグ状とすることが可能となり、貯留室から吸引物が溢れた場合でも、この吸引物が直ちに下流側に配置された排気室に到達することがない。
【００３７】
また、通路の断面積は吸引通路の断面積、排気通路の断面積よりも大きいことが好ましい。このように、通路の断面積を吸引通路、排気通路の断面積よりも大きくすることで、該通路を通過する際の空気の流速は吸引通路、排気通路に於ける空気の流速よりも小さくなり、上流側の貯留室から下流側の排気室に向けて吸引物を移動させる作用を小さくすることが可能となる。従って、貯留室に貯留されている吸引物が下流側の排気室に移動する虞を小さくすることが可能となり、貯留室の容積を有効に活用して多量の吸引物を貯留することが可能である。
【００３８】
容器本体に於ける吸引口の配置位置は特に限定するものではなく、容器本体の形状や寸法に対応させて最も適した位置であれば良い。例えば、容器本体が人手で把持し得るような細長形状である場合、吸引時には容器本体の長手方向を横向きにして利用することが合理的である。容器本体がこのような形状である場合、吸引口を長手方向の端部に配置することが好ましい。
【００３９】
容器本体が上記の如き形状である場合、吸引通路は、容器本体の長手方向を横向きにしたときに上部となる位置に配置することが好ましい。この場合、吸引通路は容器本体の内部であって、長手方向の側面に沿って形成することが更に好ましい。吸引通路をこのように形成することで、容器本体を使用する際の上下の方向性が決まってしまうが、この結果、貯留室の容積をより有効に利用して多量の吸引物を貯留することが可能となる。
【００４０】
また、容器本体を単なる筒体として構成し、この筒体の長手方向を横向きにして利用することでも良い。この筒体が自立可能な形状である場合、吸引物を吸引する際には容器本体をテーブル等に載置して自立させた状態で利用することが可能である。また、筒体が自立可能であるか否かに関わらず、アウトレットやベッドの手すりから吊り下げて利用することが可能である。
【００４１】
吸引口には吸引物を吸引するための吸引部材が接続される。この吸引部材は吸引口に対して着脱可能であることが好ましい。このため、吸引口としてはホース差し状に構成されていることが好ましい。また、吸引部材としては、病院や介護施設で通常利用されるチューブ或いはホースであって良い。このような吸引部材として患者の体液を吸引するために利用されるカテーテルがある。
【００４２】
吸引口には、吸引物が逆流して外部に漏洩することを防ぐための逆止弁を設けることが好ましい。この逆止弁の構造は特に限定するものではなく、容器本体に負圧が作用したときに、大きな抵抗となることなく円滑に吸引口を開放し、且つ負圧の作用が停止したときに確実に吸引口を閉鎖して吸引物の漏洩を防ぐことが可能なものであれば良い。
【００４３】
このような逆止弁としては、例えば、吸引口に対し、適度な剛性を有する合成樹脂片を柔軟性を有する連結片を介して装着すると共に、作用する負圧の有無に応じて吸引口を開閉し得るように構成することが可能である。
【００４４】
容器本体に於ける排気口の配置位置も特に限定するものではない。しかし、容器本体が細長形状である場合、操作をする上で、吸引口を配置した端部とは反対側の端部に配置しておくことが好ましい。
【００４５】
排気口には、容器本体に負圧を作用させる負圧源が接続される。この負圧源としては特に限定するものではなく、真空ポンプやブロワのような負圧の発生源や病院や診療所に於ける負圧が作用している屋内配管、或いは病室のアウトレットに取り付けられて負圧が作用している吸引器等を利用することが可能である。
【００４６】
このように、本発明に係る吸引容器に利用する負圧源としては、特定の機構のものを限定するものではなく、吸引容器を利用する場所で最も簡単に利用することが可能なものであって良い。
【００４７】
排気口には容器本体に貯留した吸引物の漏洩を防ぐためのフィルターを配置することが好ましい。このフィルターの構造を限定するものではなく、貯留室に貯留した吸引物が下流側の室、排気通路を通って排気口まで流通したとき、この吸引物が排気口から外部に漏洩するのを防ぐことが可能なものであれば良い。
【００４８】
容器本体に形成された複数の室の中から選択された室には凝固剤を配置することが好ましい。選択された室に凝固剤を配置することで、この室に浸入した吸引物は凝固剤と接触して凝固することとなり、より外部への漏洩の可能性を軽減することが可能である。凝固剤を配置すべき室は限定するものではなく、貯留室又は下流側の室であって良く、貯留室及び下流側の室であっても良い。
【００４９】
選択された室に配置する凝固剤の材質は特に限定するものではなく、病院や介護施設で通常使用される吸引器に用いられている凝固剤であって良い。
【００５０】
以下、吸引容器の好ましい実施例について、図１、図２を用いて第１実施例に係る吸引容器Ａについて説明する。
【００５１】
吸引容器Ａは、細長い筒状の容器本体１を有して構成されている。容器本体１の形状や寸法は特に限定するものではないが、本実施例では、手で把持し得る程度の太さと長さを有する略円筒形状に形成されている。
【００５２】
容器本体１の内部には、互いに連通した複数の室２ａ、２ｂ、２ｃ、２ｄが形成されている。各室２ａ〜２ｄは壁３ａ、３ｂ、３ｃによって区画され、且つ各壁３ａ〜３ｃの所定位置に夫々形成された通路４ａ、４ｂ、４ｃを介して連通している。
【００５３】
壁３ａは、容器本体１の一方の端面１ａから離隔した位置から該容器本体１の長手方向に対し略垂直方向に所定寸法だけ立ち下がると共に、立ち下がり端から屈折して容器本体１の長手方向に延長され他方の端面１ｂに接続している。壁３ａに区画された室２ａは容器本体１の端面１ａから端面１ｂにわたって略Ｌ字状に形成されており、該室２ａに面した容器本体１の長手方向の側面が底面１ｃとして機能している。
【００５４】
壁３ａの室２ａとは反対側に壁３ｂが容器本体１の底面１ｃとは反対側の面（天井側面１ｄ）に向かって起立しており、これらの壁３ａ、３ｂ及び容器本体１の端面１ｂ、天井側面１ｄによって区画された室２ｂが形成されている。壁３ａの端面１ｂとの接続部位には通路４ａが形成されており、該通路４ａを介して室２ａと室２ｂが連通している。
【００５５】
壁３ｂの容器本体１の端面１ｂの反対側に所定寸法に隣接した位置には、壁３ｃが天井側面１ｄから壁３ａに向けて形成されており、壁３ａ、３ｂ、３ｃ及び天井側面１ｄとで区画された室２ｃが形成されている。壁３ｂの天井側面１ｄ側には通路４ｂが形成されており、該通路４ｂによって室２ｂと室２ｃが連通している。
【００５６】
壁３ａと壁３ｃ及び天井側面１ｄとによって区画された室２ｄが形成されている。壁３ｃの壁３ａ側には通路４ｃが形成されており、該通路４ｃによって室２ｃと室２ｄが連通している。
【００５７】
上記の如くして、容器本体１の内部に連通した室２ａ〜２ｄが形成されている。そして、室２ａは吸引物を貯留する貯留室２ａとなり、室２ｄは排気室２ｄ又はフィルター１２を収容する収容室２ｄとなる。複数の室２ａ〜２ｄに於いて、貯留室２ａは吸引物を充分に多く貯留することが可能なように、他の室２ｂ〜２ｄと比較して最も大きい容積を有している。しかし、他の室２ｂ〜２ｄの容積は特に限定するものではない。
【００５８】
また、排気室２ｄは容器本体１に吸引した吸引物が、作用する負圧の影響を受けて負圧源側に漏洩することを防ぐフィルター１２を配置するため、配置すべきフィルター１２の形状や寸法に対応させた形状と寸法を有している。更に、室２ｂ、２ｃは、貯留室２ａから溢れた吸引物が直接排気室２ｄに入り込むことがないようにするための緩衝室としての機能を有するため、大きな容積を必要としてはいない。
【００５９】
上記の如く、貯留室２ａと室２ｂを連通する通路４ａは、壁３ａに於ける端面１ｂ側に形成されている。即ち、貯留室２ａの天井に通路４ａが配置されていることになる。従って、貯留室２ａの容積を充分に活用して多くの吸引物を貯留しておくことが可能である。
【００６０】
また、室２ｂと室２ｃは壁３ｂに於ける壁３ａから離隔した側（上部側）に形成された通路４ｂを介して連通している。このため、貯留室２ａから通路４ａを通って吸引物が室２ｂに入り込んだとしても、この吸引物が直ちに通路４ｂを通って室２ｃに流れこむ虞はない。
【００６１】
更に、室２ｃと排気室２ｄは、壁３ｃに於ける壁３ａ側に形成された通路４ｃを介して連通している。このように、室２ｂから室２ｃに通じる通路４ｂと、室２ｃから排気室２ｄに通じる通路４ｃは互いに反対側に形成されている。このため、吸引物が室２ｂから室２ｃに入り込んだとき、この吸引物は直ちに排気室２ｄに入り込むことになる。しかし、何等かの事情で、容器本体１が逆さまになったような場合、吸引物が貯留室２ａから室２ｂに入り込み、通路４ｂを通って室２ｃに入ったとしても、該室２ｃが充満しない限り、吸引物が排気室２ｄに入り込むことがない。
【００６２】
上記の如く、室２ｂ、２ｃ、排気室２ｄを連通する通路４ｂ、４ｃを互いに異なる位置に形成することで、容器本体１の内部にジグザグ状の空気の通路を構成することが可能となる。このため、何等かの事情で貯留室２ａにある吸引物が室２ｂに入り込んだとしても、この吸引物が直ちに排気室２ｄに到達することがない。
【００６３】
容器本体１の一方側の端面１ａには、例えばペーシェントホース或いはカテーテル等の吸引部材（図示せず）と接続される吸引口５が配置されている。また、他方側の端面１ｂには、例えば真空ポンプ、ブロワ、負圧配管等の負圧源（図示せず）と図示しないホースを介して接続された排気口６が配置されている。吸引口５、排気口６にはチューブ或いはホースが接続されるため、夫々の外形はホース差しとして形成されている。
【００６４】
吸引口５は貯留室２ａと接続されており、貯留室２ａに対する開口部５ａに逆止弁７が配置されている。この逆止弁７は、貯留室２ａに貯留した吸引物が吸引口５から外部に漏洩するのを防ぐ機能を有するものであり、この機能を発揮し得る構造であれば良い。
【００６５】
本実施例では、開口部５ａを閉鎖することが可能な大きさの薄板７ａをヒンジを介して回動可能に構成した逆止弁７を用いている。この逆止弁７を開口部５ａに取り付けておき、貯留室２ａに負圧が作用したとき、該開口部５ａを開放することが可能である。また、負圧が作用していない状態では、開口部５ａを強制的に閉鎖することはないが、貯留室２ａに貯留されている吸引物の逆流を防ぐことは可能である。
【００６６】
排気口６と排気室２ｄは排気通路１０を介して接続されている。そして、排気通路１０が排気室２ｄに接続する接続部に開閉弁１１が構成されている。この開閉弁１１は、排気口６からの負圧を排気室２ｄに作用させ或いは遮断するためのものである。開閉弁１１としては構造を限定するものではない。
【００６７】
本実施例では、排気通路１０の排気室２ｄ側の端部を容器本体１の外部側に屈折させると共に、該端部の周囲に排気室２ｄの開口部２ｄ１をリング状に設けることで、排気通路１０の開口部１０ａと排気室２ｄの開口部２ｄ１を同心円状に構成している。そして、この同心円を利用して開閉弁１１が構成されている。
【００６８】
即ち、この同心円を構成する排気通路１０の開口部１０ａが弁座としての機能を有しており、該開口部１０ａに対応する位置に孔１１ｂが形成された可撓性を有する薄板からなる弁体１１ａが、開口部１０ａに対向し且つ離隔した位置に配置されている。更に、孔１１ｂと対向する位置に孔１１ｄが形成されたキャップ１１ｃを容器本体１に締結することで、弁体１１ａの外周を容器本体１に固定し、孔１１ｂを中心として開口部１０ａに対し離隔又は接近する方向への撓みを許容し得るようにした開閉弁１１を構成している。
【００６９】
上記の如く構成された開閉弁１１では、排気通路１０に負圧が作用している状態で、キャップ１１ｃに形成されている孔１１ｄを塞ぐと、弁体１１ａの開口部１０ａ側の圧とキャップ１１ｃ側の圧が等しくなって弁体１１ａに撓みが生じることがない。このため、排気通路１０に作用している負圧が排気室２ｄにも作用し、吸引口５に接続した吸引部材によって吸引物を吸引することが可能となる。
【００７０】
また、キャップ１１ｃの孔１１ｄを開放すると、該キャップ１１ｄｃ弁体１１ａの間が大気圧となり、弁体１１ａの開口部１０ａ側との間に圧力差が生じて弁体１１ａが開口部１０ａ側に引き寄せられ、該開口部１０ａを塞ぐことで、排気室２ｄに対する負圧の作用を遮断する。このため、吸引部材による吸引を停止することが可能となる。
【００７１】
排気室２ｄには、開口部２ｄ１の該排気室２ｄ側にフィルター１２が配置されている。このフィルター１２は、貯留室２ａに貯留された吸引物が他の室２ｄ、２ｃを経て排気室２ｄまで到達したとしても、この吸引物が排気通路１０側に漏洩するのを防ぐたものものである。このため、フィルター１２としては吸引物を通過させることのない材質、形状であれば良い。
【００７２】
貯留室２ａ或いは室２ｂ、２ｃ、排気室２ｄの中から選択した室に、図示しない凝固剤が配置されている。この凝固剤は水分を吸収して凝固させることで、吸引物の流動を抑えて容易に廃棄し得るようにするものであり、この機能を有するものであれば良く、材質等を限定するものではない。また、凝固剤をどの室に配置するかも限定するものではない。
【００７３】
上記の如く構成された吸引容器Ａでは、吸引口６に接続した負圧源からの負圧は、排気室２ｄから、室２ｃ、２ｂ、貯留室２ａを経て吸引口５に接続した吸引部材に作用する。このため、吸引部材の先端を患者或いは要介護者の鼻或いは喉に適用することで、鼻汁或いは痰を吸引することが可能である。
【００７４】
即ち、負圧の作用に応じた空気の流れの最上流側に吸引部材が配置され、下流方向に向かって、貯留室２ａ、室２ｂ、２ｃ、排気室２ｄ、排気通路１０となり、最下流側に負圧源が配置される。以後、複数の室の並び順を排気方向上流側、排気方向下流側ということもある。
【００７５】
次に、図３により第２実施例に係る吸引容器Ｂの構成について説明する。尚、以下の実施例に於いて、図に於ける前述の第１実施例と同一の部分又は同一の機能を有する部分には同一の符号を付して説明を省略する。
【００７６】
吸引容器Ｂを構成する容器本体１４は細長い筒状に形成されており、底面１４ｃが略平坦な面として形成されている。特に、容器本体１４の一方側の端面１４ａは、上部側に径の小さい突部１４ｄが形成されることでだるま状に形成されている。
【００７７】
容器本体１４の一方の端面１４ａに吸引口５が他方の端面１４ｂに排気口６が配置されている。本実施例では、吸引口５及び排気口６は夫々ホース差しとして構成されている。このため、容器本体１の端面１４ａ、１４ｂに於ける吸引口５と排気口６を配置すべき位置には、夫々ホース差しを差し込むためのボス状の挿入部１４ｅが形成されている。
【００７８】
容器本体１４の内部には、該容器本体１４を横断して端面１４ａ側から順に複数の壁１６ａ〜１６ｄが形成されている。また、容器本体１４の端面１４ｂ側には、端面１４ｂから壁１６ｄに向けて予め設定された寸法延出し、その後、上方に向けてＬ字型に屈折した壁１６ｅが形成されている。
【００７９】
壁１６ａ〜１６ｅによって、容器本体１４の内部には複数の室１５ａ〜１５ｆが形成されている。特に、室１５ａは吸引口５から吸引された吸引物を貯留する貯留室としての機能を有し、室１５ｆは排気口６を介して負圧が作用する排気室としての機能を有し、且つフィルター１２を収容する収容室として機能する。
【００８０】
壁１６ａには容器本体１４の底面１４ｃから離隔した上部（天井側）に通路１７ａが形成され、壁１６ｂには底面１４ｃ側に通路１７ｂが形成されている。また、壁１６ｃには上部に通路１７ｃが、壁１６ｄには底面１４ｃ側に通路１７ｄが、壁１６ｅには上部に通路１７ｅが夫々形成されている。
【００８１】
従って、排気口６に負圧が作用したとき、容器本体１４の内部に形成された各室１５ａ〜１５ｅにはジグザグ状の空気の流れが生じ、この空気の流れに伴って吸引物が流動し、吸引口５から貯留室１５ａに落下して貯留される。通路１７ａが壁１６ａの底面１４ｃから離隔した上部に形成されているため、該壁１６ａが堰の機能を発揮し、貯留された吸引物が室１５ｂに移動することがない。
【００８２】
特に、容器本体１４の天地が反対になったとき、貯留室１５ａに貯留された吸引物は通路１７ａから室１５ｂに流動するものの、壁１６ｂには底面１４ｃ側に通路１７ｂが形成されているため、該壁１６ｂが堰としての機能を発揮する。このため、室１５ｂに吸引物が入り込んだとしても、この吸引物が室１５ｃに内り込むことはない。
【００８３】
上記の如く構成された吸引容器Ｂは前述の吸引容器Ａと同様にして、吸引部材の先端を患者或いは要介護者の鼻或いは喉に適用することで、鼻汁或いは痰を吸引することが可能である。特に、容器本体１４の底面１４ｃが平坦な面として形成されているため、ベッド際のテーブル上に置いて利用することも可能である。
【００８４】
尚、本実施例の吸引容器Ｂでは、容器本体１４に開閉弁を設けていない。このため、吸引口５に接続する吸引部材としては、開閉弁機構を有するカテーテルを利用することが必要となる（以下説明する実施例も同じ）。
【００８５】
次に、図４により第３実施例に係る吸引容器Ｃの構成について説明する。本実施例に於いて、容器本体２０は上部が半円状に形成されると共に、下部が底面２０ｃを有する半方形に形成されている。そして、一方の端面２０ａに設けた挿入部２０ｅに吸引口５が配置され、他方の端面２０ｂに設けた挿入部２０ｅにも排気口６が配置されている。
【００８６】
容器本体２０の内部には、端面２０ａ側から底面２０ｃに沿って貯留室２１ａが形成されている。この貯留室２１ａの上部側（天井２１ｆ側）であって吸引部材５に接近した位置に室２１ｂ、２１ｃが形成され、天井２０ｆに沿って室２１ｃと接続された排気通路２４が形成され、更に、端面２０ｂ側に排気通路２４と接続された排気室２１ｄが形成されている。
【００８７】
容器本体２０の内部には、吸引口５に設けた逆止弁７から離隔した位置で天井２０ｆから底面２０ｃに向けて斜めに形成された斜壁２２ａと、該斜壁２２ａから上部側に向けて斜め上方に向けて形成された折返壁２２ｂと、天井２０ｆと略平行に形成された直壁２２ｃと、排気口６に設けたフィルター１２から離隔した位置で底面２０ｃから立設された起立壁２２ｄと、を有する壁２２が形成されている。
【００８８】
そして、貯留室２１ａは壁２２を構成する斜壁２２ａ、折返壁２２ｂ、直壁２２ｃ、起立壁２２ｄとによって規定され、室２１ｂは折返壁２２ｂと直壁２２ｃの端部に形成された隔壁２２ｅとによって規定されている。また、室２１ｃは斜壁２２ｂと隔壁２２ｅとによって規定され、排気通路２４は天井２０ｆと直壁２２ｃとによって規定され、排気室２１ｄは起立壁２２ｄ、底面２０ｃ、端面２０ｂとによって規定されている。
【００８９】
壁２２を構成する折返壁２２ｂに於ける直壁２２ｃ側に通路２３ａが形成されており、該通路２３ａによって貯留室２１ａと室２１ｂが連通している。また、室２１ｂ、２１ｃとは隔壁２２ｅによって形成されたＶ字状の通路２３ｂによって連通している。
【００９０】
上記の如く構成された吸引容器Ｃでは、前述の吸引容器Ａ、Ｂと同様にして、吸引部材の先端を患者或いは要介護者の鼻或いは喉に適用することで、鼻汁或いは痰を吸引することが可能である。また、容器本体２０の底面２０ｃが平坦な面として形成されているため、ベッド際のテーブル上に置いて利用することも可能である。
【００９１】
次に、図５により第４実施例に係る吸引容器Ｄの構成について説明する。前述の吸引容器Ａ〜Ｃでは、吸引口５と排気口６が容器本体の両端面に配置されていたが、本実施例に係る吸引容器Ｄでは吸引口５と排気口６が同じ端面２６ａに設けた挿入部２６ｅに夫々配置されている。
【００９２】
本実施例では、容器本体２６の天井２６ｆに沿って一方の端面２６ａから他方の端面２６ｂに向けて壁２８ａが形成されており、該壁２８ａと天井２０ｆとによって規定された吸引通路３０が形成されている。そして、壁２８ａの端面２６ｂ側に通路２９ａが形成されている。
【００９３】
壁２８ａと底面２６ｃとの間には容器本体２６を横断する方向に複数の壁２８ｂ〜２８ｆが形成されており、これらの壁２８ｂ〜２８ｆによって貯留室２７ａ、室２７ｂ〜２７ｅ、排気室２７ｆが形成されている。また、各壁２８ｂ〜２８ｆには夫々通路２９ｂ〜２９ｆが形成されている。
【００９４】
上記の如く、吸引口５は容器本体２６の端面２６ａに配置され、貯留室２７ａは端面２６ｂ側に配置され、両者を結んで吸引通路３０が形成されている。従って、吸引通路３０は吸引口５と貯留室２７ａとの間に室２７ｂ〜２７ｅを挟んで構成されることとなり、貯留室２７ａが直接排気室２７ｆと接続されることがないため、吸引された吸引物を排気方向上流側に配置されている貯留室に確実に貯留することが可能となる。
【００９５】
上記壁２８ｂ〜２８ｆ及び通路２９ｂ〜２９ｆは前述の第２実施例に於ける壁１６ａ〜１６ｅ、通路１７ａ〜１７ｅと同様に構成されている。
【００９６】
上記の如く構成された吸引容器Ｄでは、前述の吸引容器Ａ〜Ｃと同様にして、吸引部材の先端を患者或いは要介護者の鼻或いは喉に適用することで、鼻汁或いは痰を吸引することが可能である。
【００９７】
特に、吸引口５と排気口６が同じ面に配置されており、貯留室２７ａがこれら吸引口５、排気口６から最も離隔した位置に配置されているため、端面２６ａを上方に配置すると共に端面２６ｂを下方に配置して所謂縦型に配置しても吸引物が漏洩する虞がない。このため、ベッドやアウトレットから吊り下げて利用することが可能である。
【００９８】
次に、図６により更に他の実施例について説明する。図に示す吸引容器Ｅ、Ｆ、Ｇは、容器本体３１の一方の端面３１ａに吸引口５が配置されると共に他方の端面３１ｂに排気口６が配置されている。また、容器本体３１の内部には複数の室が互いに連通して構成されている。各室は、容積の違いや、壁に形成された通路の大きさに違いがあるものの、配置状態は前述の第４実施例に係る吸引容器Ｄと同様である。このため、各室、各壁、各通路には第４実施例と同一の符号を付して説明を省略する。
【００９９】
更に、容器本体３１の端面３１ｂに配置された排気口６と、端面３１ａ側に配置された排気室２７ｅとは排気通路３２を介して接続されている。この構成は前述の第３実施例に係る吸引容器Ｃと同様である。
【０１００】
吸引容器Ｅ〜Ｇを構成する容器本体３１は、操作する際に手で把持しやすいようにすることを目的として長円状に形成されている。また、同様の目的で、端面３１ａ側は突起状に形成されている。しかし、容器本体３１が図６に示す外形形状に限定するものではないことは当然である。
【０１０１】
図７は、吸引容器Ｅを利用する際の操作を模式的に説明する図である。吸引容器Ｅの容器本体３１の端面３１ａに配置された吸引口５には吸飲部材となるカテーテル３５が取り付けられており、端面３１ｂに配置された排気口６には図示しない負圧源と接続されたホース３６が接続されている。
【０１０２】
患者から痰や鼻水を吸引する介護者は、一方の手Ｈで容器本体３１を把持し、他方の手でカテーテル３５を把持する。そして、カテーテル３５に設けられた開閉弁を容器本体３１を把持した手Ｈの指で開放或いは閉鎖する操作を行いつつ、他方の手でカテーテル３５の先端を吸引すべき部位に適用することで、吸引することが可能である。
【０１０３】
前述したように、吸引された吸引物は容器本体３１に形成された貯留室２７ａに貯留され、貯留量が増加したときに、予め設定された方法で処理する。
【産業上の利用可能性】
【０１０４】
本発明に係る吸引容器は、病院や介護施設或いは家庭で患者や要介護者から分泌された分泌物や体液を吸引する際に利用することが可能である。
【符号の説明】
【０１０５】
Ａ〜Ｇ              吸引容器
１、１４、２０、２６、３１                
容器本体
１ａ、１ｂ、１４ａ、１４ｂ、２０ａ、２０ｂ、３１ａ、３１ｂ、２６ａ、２６ｂ
端面
１ｃ、１４ｃ、２０ｃ
底面
１ｄ                天井側面
２ａ〜２ｄ、１５ａ〜１５ｆ、２１ａ〜２１ｄ、２７ａ〜２７ｅ
室
２ａ、１５ａ、２１ａ、２７ａ
貯留室
２ｄ、１５ｆ、２１ｄ、２７ｆ
排気室
２ｄ１              開口部
３ａ〜３ｃ、１６ａ〜１６ｅ、２２、２８ａ〜２８ｆ
壁
４ａ〜４ｃ、１７ａ〜１７ｅ、２３ａ、２３ｂ、２９ａ〜２９ｆ
通路
５                  吸引口
５ａ                開口部
６                  排気口
７                  逆止弁
７ａ                薄板
１０、２４、３２    排気通路
１０ａ              開口部
１１                開閉弁
１１ａ              弁体
１１ｂ、１１ｄ      孔
１１ｃ              キャップ
１２                フィルター
１４ｄ              突部
１４ｅ、２０ｅ      挿入部
２０ｆ、２６ｆ      天井
３０                吸引通路
３５                カテーテル
３６                ホース
【図１】
2017205249.tif 000003
【図２】
2017205249.tif 000004
【図３】
2017205249.tif 000005
【図４】
2017205249.tif 000006
【図５】
2017205249.tif 000007
【図６】
2017205249.tif 000008
【図７】
2017205249.tif 000009